Podtech/llm-jp-corpus-v4-ja_patent huggingface dataset:
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
ディスクに情報を記録しあるいは前記ディスクの情報を再生するディスクドライブ機構と、前記ディスクドライブ機構を収納した筐体と、を備えたディスクドライブ装置において、
前記筐体の内部の脱湿及び加湿動作を行う湿度制御素子と、
前記ディスクドライブ装置の周囲温度あるいはその周囲温度と実質的に同じ変化をする部分の温度を検出する温度センサと、
前記温度センサの検出温度の急激な変化に基づいて前記湿度制御素子を制御する制御回路とを有する
ことを特徴とするディスクドライブ装置。
【請求項２】
請求項１に記載されたディスクドライブ装置おいて、前記湿度制御素子は前記筐体の内部の脱湿及び加湿を行なうものであることを特徴とするディスクドライブ装置。
【請求項３】
請求項２に記載されたディスクドライブ装置おいて、前記湿度制御素子は、固体電解質からなる水素イオン伝導体と、前記水素イオン伝導体に接触して配置された少なくとも２つの電極とを備えたことを特徴とするディスクドライブ装置。
【請求項４】
請求項２に記載されたディスクドライブ装置おいて、前記制御回路は前記温度センサの検出温度が所定の温度範囲外の場合に前記湿度制御素子を制御するようにしたことを特徴とするディスクドライブ装置。
【請求項５】
請求項１に記載されたディスクドライブ装置おいて、前記ディスクドライブ装置の内部空間の湿度を検出する湿度センサを有し、前記制御回路は、前記温度センサの検出温度と前記湿度センサの検出温度とに基づいて、前記湿度制御素子を制御するようにしたことを特徴とするディスクドライブ装置。
【請求項６】
請求項５に記載されたディスクドライブ装置おいて、前記制御回路は、前記温度センサの検出温度が所定の温度範囲内の場合に前記湿度センサの検出温度に基づいて前記湿度制御素子を制御するようにしたことを特徴とするディスクドライブ装置。
【請求項７】
請求項１乃至６の何れかに記載されたディスクドライブ装置において、前記制御回路を搭載して前記筐体の外側に設置された回路基板と、前記回路基板の外側を覆った蓋とを備え、前記温度センサは、前記回路基板に搭載されると共に、前記回路基板と前記蓋との間に挟持されたことを特徴とするディスクドライブ装置。
【請求項８】
請求項１乃至６の何れかに記載されたディスクドライブ装置において、前記温度センサは前記筐体に当接して設置されたことを特徴とするディスクドライブ装置。
【請求項９】
請求項８に記載されたディスクドライブ装置において、前記制御回路を搭載して前記筐体の外側に設置された回路基板とを備え、前記温度センサは前記回路基板に搭載されると共に前記回路基板と前記筐体との間に挟持されたことを特徴とするディスクドライブ装置。
【請求項１０】
請求項１に記載されたディスクドライブ装置において、前記温度センサは前記筐体に伝熱的に接続された前記ディスクドライブ機構を構成する部品の温度を検出するように設置されたことを特徴とするディスクドライブ装置。
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
a)送信されてくる映像データが、所定の登録取材者からのものであるか否かを判断するとともに、登録取材者からの映像データであった場合、その登録取材者について付与されている映像取扱資格情報とともにその映像データを映像記録装置に記録する記録手段と、
b)記録装置に記録される映像データから、所定のビデオクリップを作製し、登録利用者がアクセス可能なビデオクリップ記録装置に記録するビデオクリップ作製手段と、
c)登録利用者が指定する映像データを映像記録装置から読み出して該登録利用者に送信するとともに、該登録利用者に所定のデータ利用料を課金する映像データ供給手段と、
d)登録利用者に送信された映像データを送信してきた登録取材者に該映像データが利用された旨を通知するとともに、所定のデータ料を供与する通知手段と、
e)記録装置に記録される映像データをサーチし、所定の基準により、肖像権に関する処理が必要であるか否かを判断する肖像権判定手段と、
f)肖像権処理が必要である場合、被撮影者の承諾があるか否かを判断する承諾判定手段と、
を備えるとともに、
前記承諾判定手段が、
f1)映像の所定部分に収録されている音声を認識する音声認識手段と、
f2)音声認識された文章の中に、承諾を表す所定の語句が含まれているか否かを判定する承諾語句判定手段と
を備えることを特徴とする映像収集・配信システム。
【請求項２】
更に、
g)同一の映像データを複数の登録利用者が指定した場合、自動オークションシステムを起動して１の登録利用者を決定するオークション手段
を備えることを特徴とする請求項１に記載の映像収集・配信システム。
【請求項３】
前記所定の基準は、
e1)映像画面中に人間の顔が映っていること、
e2)人間の顔が映っている場合、その大きさが画面全体の中で所定割合以上であること、
の両条件を満たすことである請求項１または２に記載の映像収集・配信システム。
【請求項４】
更に、
h)送信されてきた映像データに関連する、他の登録取材者に追加取材の指示を出す追加取材指示手段
を備えることを特徴とする請求項１〜３のいずれかに記載の映像収集・配信システム。
【請求項５】
前記追加取材指示手段は、映像データ内に追加取材が必要である旨のデータが存在する場合に前記追加取材の指示を出すことを特徴とする請求項４に記載の映像収集・配信システム。
【請求項６】
前記追加取材指示手段は、所定時間内に所定の地理的範囲内から所定件数以上の映像データの送信があった場合に前記追加取材の指示を出すことを特徴とする請求項４に記載の映像収集・配信システム。
【手続補正２】
【補正対象書類名】明細書
【補正対象項目名】０００６
【補正方法】変更
【補正の内容】
【０００６】
インターネット等のネットワークを用いて映像を配信するシステムは、既にいくつか提案されている（例えば、特許文献１，２等）。しかし、これらのシステムでは、その扱う映像の中身については殆ど考慮しておらず、せいぜい、その映像に著作権が存在するか否かをチェックし、存在する場合には適切な著作権管理を行うという程度のものにしか過ぎない。
【手続補正３】
【補正対象書類名】明細書
【補正対象項目名】００１２
【補正方法】変更
【補正の内容】
【００１２】
上記課題を解決するために成された本発明に係る映像収集・配信システムは、
a)送信されてくる映像データが、所定の登録取材者からのものであるか否かを判断するとともに、登録取材者からの映像データであった場合、その登録取材者について付与されている映像取扱資格情報とともにその映像データを映像記録装置に記録する記録手段と、
b)記録装置に記録される映像データから、所定のビデオクリップを作製し、登録利用者がアクセス可能なビデオクリップ記録装置に記録するビデオクリップ作製手段と、
c)登録利用者が指定する映像データを映像記録装置から読み出して該登録利用者に送信するとともに、該登録利用者に所定のデータ利用料を課金する映像データ供給手段と、
d)登録利用者に送信された映像データを送信してきた登録取材者に該映像データが利用された旨を通知するとともに、所定のデータ料を供与する通知手段と、
e)記録装置に記録される映像データをサーチし、所定の基準により、肖像権に関する処理が必要であるか否かを判断する肖像権判定手段と、
f)肖像権処理が必要である場合、被撮影者の承諾があるか否かを判断する承諾判定手段と、
を備えるとともに、
前記承諾判定手段が、
f1)映像の所定部分に収録されている音声を認識する音声認識手段と、
f2)音声認識された文章の中に、承諾を表す所定の語句が含まれているか否かを判定する承諾語句判定手段と
を備えることを特徴とする。
【手続補正４】
【補正対象書類名】明細書
【補正対象項目名】００１３
【補正方法】変更
【補正の内容】
【００１３】
本発明に係る映像収集・配信システムは更に、g)同一の映像データを複数の登録利用者が指定した場合、自動オークションシステムを起動するオークション手段を備えたものであってもよい。
【手続補正５】
【補正対象書類名】明細書
【補正対象項目名】００１４
【補正方法】変更
【補正の内容】
【００１４】
更に、前記所定の基準は、
e1)映像画面中に人間の顔が映っていること、
e2)人間の顔が映っている場合、その大きさが画面全体の中で所定割合以上であること、
の両条件を満たすこととしてもよい。
【手続補正書】
【提出日】平成19年9月18日(2007.9.18)
【手続補正１】
【補正対象書類名】明細書
【補正対象項目名】００２３
【補正方法】変更
【補正の内容】
【００２３】
有意値を視点からの距離を基準に設定したが、距離は遠いが相対的にパーツ画像が占める表示面積が大きい場合、また、逆に距離は近いが相対的にパーツ画像が占める面積が小さい場合等、表示対象から除外する順番が、距離のみでは不具合が生じることがある。
【手続補正２】
【補正対象書類名】明細書
【補正対象項目名】００３５
【補正方法】変更
【補正の内容】
【００３５】
本実施の形態では、プログラムデータとして、デザインシミュレーションプログラムが記憶されており、上記ゲーム装置１００は、このデザインシミュレーションを実行するべく、レンダリングブロセッサ１０６及びサウンドプロセッサ１０８等が起動する。
【手続補正３】
【補正対象書類名】明細書
【補正対象項目名】００４６
【補正方法】変更
【補正の内容】
【００４６】
上記の有意値の相対関係を式で示すと、第２のパーツ画像５４＝第３のパーツ画像５６＞第４のパーツ画像５８（第２のパーツ画像５４＞第３のパーツ画像５６としてもよい）となる。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
画面と対応するメンバ変数を格納する格納手段と、
前記画面を表示するためのデータをクライアント端末に送信する送信手段と、
前記画面にしたがって入力された情報を、前記クライアント端末から受信する受信手段と、
前記受信手段により前記情報を受信すると、前記格納手段に格納された前記画面と対応するメンバ変数が所定の値であるかをチェックするチェック手段と、
前記チェック手段によるチェック結果に応じて、前記受信手段により受信された前記情報を記憶する記憶手段と、
前記記憶手段に前記情報が記憶されると、前記格納手段に格納された前記画面と対応するメンバ変数を更新する更新手段とを備え、
前記格納手段は、前記記憶手段に前記情報が記憶されると、前記画面の次の画面と対応するメンバ変数に前記所定の値を格納することを特徴とするＷｅｂサーバ。
【請求項２】
前記記憶手段は、前記チェック手段により前記画面と対応するメンバ変数が前記所定の値であるとチェックされたことに応じて、前記受信手段により受信された前記情報を記憶することを特徴とする請求項１に記載のＷｅｂサーバ。
【請求項３】
前記送信手段は、さらに、前記チェック手段により前記画面と対応するメンバ変数が前記所定の値でないとチェックされたことに応じて、エラー画面を表示するためのデータを前記クライアント端末に送信することを特徴とする請求項１または２に記載のＷｅｂサーバ。
【請求項４】
前記格納手段は前記画面と対応するメンバ変数に、前記画面の前の画面または次の画面と対応する情報も格納することを特徴とする請求項１乃至３のいずれか１項に記載のＷｅｂサーバ。
【請求項５】
画面と対応するメンバ変数を格納するステップと、
前記画面を表示するためのデータをクライアント端末に送信するステップと、
前記画面にしたがって入力された情報を、前記クライアント端末から受信するステップと、
前記情報を受信すると、前記格納された前記画面と対応するメンバ変数が所定の値であるかをチェックするステップと、
前記チェック結果に応じて、前記受信された前記情報を記憶するステップと、
前記情報が記憶されると、前記格納された前記画面と対応するメンバ変数を更新するステップと、
前記情報が記憶されると、前記画面の次の画面と対応するメンバ変数に前記所定の値を格納するステップとを備えたことを特徴とするＷｅｂサーバの制御方法。
【請求項６】
コンピュータに、
画面と対応するメンバ変数を格納するステップと、
前記画面を表示するためのデータをクライアント端末に送信するステップと、
前記画面にしたがって入力された情報を、前記クライアント端末から受信するステップと、
前記情報を受信すると、前記格納された前記画面と対応するメンバ変数が所定の値であるかをチェックするステップと、
前記チェック結果に応じて、前記受信された前記情報を記憶するステップと、
前記情報が記憶されると、前記格納された前記画面と対応するメンバ変数を更新するステップと、
前記情報が記憶されると、前記画面の次の画面と対応するメンバ変数に前記所定の値を格納するステップとを実行させるためのプログラム。
【手続補正２】
【補正対象書類名】明細書
【補正対象項目名】００３５
【補正方法】変更
【補正の内容】
【００３５】
上述の目的は、画面と対応するメンバ変数を格納する格納手段と、画面を表示するためのデータをクライアント端末に送信する送信手段と、画面にしたがって入力された情報を、クライアント端末から受信する受信手段と、受信手段により情報を受信すると、格納手段に格納された画面と対応するメンバ変数が所定の値であるかをチェックするチェック手段と、チェック手段によるチェック結果に応じて、受信手段により受信された情報を記憶する記憶手段と、記憶手段に情報が記憶されると、格納手段に格納された画面と対応するメンバ変数を更新する更新手段とを備え、格納手段は、記憶手段に情報が記憶されると、画面の次の画面と対応するメンバ変数に所定の値を格納することを特徴とするＷｅｂサーバによって達成される。
【手続補正３】
【補正対象書類名】明細書
【補正対象項目名】００３６
【補正方法】変更
【補正の内容】
【００３６】
また、上述の目的は、画面と対応するメンバ変数を格納するステップと、画面を表示するためのデータをクライアント端末に送信するステップと、画面にしたがって入力された情報を、クライアント端末から受信するステップと、情報を受信すると、格納された画面と対応するメンバ変数が所定の値であるかをチェックするステップと、チェック結果に応じて、受信された情報を記憶するステップと、情報が記憶されると、格納された画面と対応するメンバ変数を更新するステップと、情報が記憶されると、画面の次の画面と対応するメンバ変数に所定の値を格納するステップとを備えたことを特徴とするＷｅｂサーバの制御方法によっても達成される。
【手続補正４】
【補正対象書類名】明細書
【補正対象項目名】００３７
【補正方法】変更
【補正の内容】
【００３７】
また、上述の目的は、コンピュータに、画面と対応するメンバ変数を格納するステップと、画面を表示するためのデータをクライアント端末に送信するステップと、画面にしたがって入力された情報を、クライアント端末から受信するステップと、情報を受信すると、格納された画面と対応するメンバ変数が所定の値であるかをチェックするステップと、チェック結果に応じて、受信された情報を記憶するステップと、情報が記憶されると、格納された画面と対応するメンバ変数を更新するステップと、情報が記憶されると、画面の次の画面と対応するメンバ変数に所定の値を格納するステップとを実行させるためのプログラムによっても達成される。
【手続補正５】
【補正対象書類名】明細書
【補正対象項目名】００３８
【補正方法】削除
【補正の内容】
【手続補正６】
【補正対象書類名】図面
【補正対象項目名】図９
【補正方法】変更
【補正の内容】
【図９】
2006092116.tif 000001
【手続補正７】
【補正対象書類名】図面
【補正対象項目名】図１０
【補正方法】変更
【補正の内容】
【図１０】
2006092116.tif 000002
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
タッチペンを接触させて操作する操作面を備える本体部と、
前記本体部に対して移動自在に連結され、前記タッチペンを操作する手をのせる手支持部と、
前記手が前記手支持部に接触した位置座標、又は前記手により前記手支持部に加えられる接触圧力のうちの少なくとも一つを検出する検出手段と、
前記検出手段の検出結果に基づいて前記本体部を操作する制御部と、
を備えたことを特徴とする携帯情報端末装置。
【請求項２】
前記本体部を覆うカバー部であって、前記手支持部を有するカバー部と、
前記本体部の側部と前記カバー部の側部と連結し、前記本体部の側辺と平行な回転軸を中心に前記操作面と平行になる位置まで前記カバー部を回転させると共に、前記カバー部における前記操作面に対向する面と前記操作面とが平行な位置状態を維持する軸部と、
を備えたことを特徴とする請求項１に記載の携帯情報端末装置。
【請求項３】
前記本体部を覆うカバー部であって、前記カバー部における前記操作面と対向する面とは反対の面に前記手支持部を有するカバー部と、
前記本体部の角部と前記カバー部の角部とを連結し、連結した箇所を中心に前記カバー部を前記操作面に対して平行に回転させる軸部と、
を備えたことを特徴とする請求項１に記載の携帯情報端末装置。
【手続補正２】
【補正対象書類名】明細書
【補正対象項目名】０００９
【補正方法】変更
【補正の内容】
【０００９】
前記目的を達成するために、本発明にかかる携帯情報端末装置は、タッチペンを接触させて操作する操作面を備える本体部と、前記本体部に対して移動自在に連結され、前記タッチペンを操作する手をのせる手支持部と、前記手が前記手支持部に接触した位置座標、又は前記手により前記手支持部に加えられる接触圧力のうちの少なくとも一つを検出する検出手段と、前記検出手段の検出結果に基づいて前記本体部を操作する制御部と、を備えたことを特徴とする。
【手続補正３】
【補正対象書類名】明細書
【補正対象項目名】００１０
【補正方法】変更
【補正の内容】
【００１０】
また、前記本体部を覆うカバー部であって、前記手支持部を有するカバー部と、前記本体部の側部と前記カバー部の側部と連結し、前記本体部の側辺と平行な回転軸を中心に前記操作面と平行になる位置まで前記カバー部を回転させると共に、前記カバー部における前記操作面に対向する面と前記操作面とが平行な位置状態を維持する軸部と、を備えたことを特徴とする。
【手続補正４】
【補正対象書類名】明細書
【補正対象項目名】００１１
【補正方法】変更
【補正の内容】
【００１１】
また、前記本体部を覆うカバー部であって、前記カバー部における前記操作面と対向する面とは反対の面に前記手支持部を有するカバー部と、前記本体部の角部と前記カバー部の角部とを連結し、連結した箇所を中心に前記カバー部を前記操作面に対して平行に回転させる軸部と、を備えたことを特徴とする。
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
画面上における１以上の領域を特定するための領域特定情報と、上記１以上の領域に表示させる画像系データを特定するための画像特定情報とを関連付けて管理する再生コンテンツ管理手段と、
上記再生コンテンツ管理手段により管理される関連付けの情報に基づいて、上記画像特定情報により特定される１以上の画像系データを再生し、再生画像の全部または一部を上記領域特定情報により特定される１以上の領域に表示させる画像再生手段と、
入力デバイスを用いたユーザの操作指示を受け付ける操作受付手段とを備え、
上記コンテンツ管理手段は、上記操作受付手段により上記操作指示が受け付けられたときに、上記領域特定情報と上記画像特定情報との関連付けを変更することを特徴とするプレゼンテーションシステム。
【手続補正２】
【補正対象書類名】明細書
【補正対象項目名】発明の名称
【補正方法】変更
【補正の内容】
【発明の名称】プレゼンテーションシステム
【手続補正３】
【補正対象書類名】明細書
【補正対象項目名】０００１
【補正方法】変更
【補正の内容】
【０００１】
本発明は、プレゼンテーションシステムに関するものである。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
処理対象となっている画像データのうち、文字画像部分を抽出する手段と、
前記文字画像部分の少なくとも一部より生成した索引画像と、前記処理対象となった画像データとを特定する情報とを関連付けて保持する手段と、
を含み、
前記保持されている索引画像が対象画像データの取得に係る所定処理に供されることを特徴とする画像処理装置。
【請求項２】
請求項１に記載の画像処理装置において、
前記保持されている索引画像の少なくとも一部の一覧を提示する手段を含み、
前記一覧から索引画像の少なくとも一つが選択されたときに、当該選択された少なくとも一つの索引画像の各々に関連づけられている画像データの取得処理が実行されることを特徴とする画像処理装置。
【請求項３】
処理対象となっている画像データから、文字画像部分と絵柄画像部分とを分離する手段と、
前記文字画像部分又は絵柄画像部分の少なくとも一部より生成した索引画像と、前記処理対象となった画像データを特定する情報とを関連付けて保持する手段と、
を含み、
前記保持されている索引画像が対象画像データの取得に係る所定処理に供されることを特徴とする画像処理装置。
【請求項４】
抽出手段が、処理対象となっている画像データのうち、文字画像部分を抽出する工程と、
保持手段が、前記文字画像部分の少なくとも一部より作成した索引画像と、前記処理対象となった画像データを特定する情報とを関連付けて保持する工程と、
を含み、
前記保持されている索引画像が対象画像データの取得に係る所定処理に供されることを特徴とする画像処理方法。
【請求項５】
コンピュータを、
処理対象となっている画像データのうち、文字画像部分を抽出する手段と、
前記文字画像部分の少なくとも一部より生成した索引画像と、前記処理対象となった画像データを特定する情報とを関連付けて保持する手段と、
前記保持されている索引画像を用いて、対象画像データの取得に係る所定処理を実行する手段と、
して機能させることを特徴とするプログラム。
【手続補正２】
【補正対象書類名】明細書
【補正対象項目名】０００７
【補正方法】変更
【補正の内容】
【０００７】
上記従来例の問題点を解決するための本発明は、画像処理装置であって、処理対象となっている画像データのうち、文字画像部分を抽出する手段と、前記文字画像部分の少なくとも一部より生成した索引画像と、前記処理対象となった画像データを特定する情報とを関連付けて保持する手段と、を含み、前記保持されている索引画像が対象画像データの取得に係る所定処理に供されることを特徴としている。
【手続補正３】
【補正対象書類名】明細書
【補正対象項目名】０００９
【補正方法】変更
【補正の内容】
【０００９】
また、上記従来例の問題点を解決するための本発明は、画像処理装置であって、処理対象となっている画像データから、文字画像部分と絵柄画像部分とを分離する手段と、前記文字画像部分又は絵柄画像部分の少なくとも一部より生成した索引画像と、前記処理対象となった画像データを特定する情報とを関連付けて保持する手段と、を含み、前記保持されている索引画像が対象画像データの取得に係る所定処理に供されることを特徴としている。
【手続補正４】
【補正対象書類名】明細書
【補正対象項目名】００１０
【補正方法】変更
【補正の内容】
【００１０】
また、本発明の一態様に係る画像処理方法は、抽出手段が、処理対象となっている画像データのうち、文字画像部分を抽出する工程と、保持手段が、前記文字画像部分の少なくとも一部より生成した索引画像と、前記処理対象となった画像データを特定する情報とを関連付けて保持する工程と、を含み、前記保持されている索引画像が対象画像データの取得に係る所定処理に供されることを特徴としている。
【手続補正５】
【補正対象書類名】明細書
【補正対象項目名】００１１
【補正方法】変更
【補正の内容】
【００１１】
さらに本発明の別の態様は、プログラムであって、コンピュータを、処理対象となっている画像データのうち、文字画像部分を抽出する手段と、前記文字画像部分の少なくとも一部より生成した索引画像と、前記処理対象となった画像データを特定する情報とを関連付けて保持する手段と、前記保持されている索引画像を用いて、対象画像データの取得に係る所定処理を実行する手段と、して機能させることとしたものである。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
稟議書の原本であることを表す原本情報と、稟議者が稟議を承認した際に稟議書に付す標を示す認証データと、稟議者が前記稟議書の稟議を終了したか否かを表す稟議状況データとを記憶する記憶手段と、
前記原本情報と前記認証データとを含む稟議書を表す稟議書ファイルを生成するファイル生成手段と、
前記ファイル生成手段により生成された稟議書ファイルに含まれている原本情報が前記記憶手段に記憶されている原本情報と一致し、且つ、前記ファイル生成手段により生成された稟議書ファイルに含まれている認証データが前記記憶手段に記憶されている認証データと一致した場合、前記記憶手段に記憶されている原本情報を新たな原本情報に書き換えると共に、前記稟議書ファイルに含まれている原本情報を新たな原本情報に変更し、前記認証データに対応する稟議者の稟議状況データを、稟議が終了した旨に更新する更新手段と、
前記稟議書の稟議者のうち稟議が終了していない稟議者を前記記憶手段に記憶されている稟議状況データに基づいて特定し、前記更新手段により原本情報が変更された稟議書ファイルを、特定された稟議者宛てに出力する出力手段と
を有する稟議システム。
【請求項２】
前記稟議書ファイルが表す稟議書をシートに記録して出力すると共に、前記原本情報を前記シートが有する記録媒体に記録する記録手段を備えることを特徴とする請求項１に記載の稟議システム。
【請求項３】
前記稟議状況データを出力する稟議状況出力手段を有することを特徴とする請求項１に
記載の稟議システム。
【請求項４】
コンピュータを、
稟議書の原本であることを表す原本情報と、稟議者が稟議を承認した際に稟議書に付す標を示す認証データと、稟議者が前記稟議書の稟議を終了したか否かを表す稟議状況データとを記憶する記憶手段と、
前記原本情報を含む稟議書を表す稟議書ファイルを生成するファイル生成手段と、
前記ファイル生成手段により生成された稟議書ファイルを、前記稟議書の一の稟議者のコンピュータ装置へ送信する第１送信手段と、
前記第１送信手段により送信された稟議書ファイルを受信したコンピュータ装置において生成された、前記原本情報と前記認証データとを含む稟議書を表す稟議書ファイルを受信する受信手段と、
前記受信手段により受信された稟議書ファイルに含まれている原本情報が前記記憶手段に記憶されている原本情報と一致し、且つ、前記受信手段により受信された稟議書ファイルに含まれている認証データが前記記憶手段に記憶されている認証データと一致した場合、前記記憶手段に記憶されている原本情報を新たな原本情報に書き換えると共に、前記稟議書ファイルに含まれている原本情報を新たな原本情報に変更し、前記認証データに対応する稟議者の稟議状況データを、稟議が終了した旨に更新する更新手段と、
前記稟議書の稟議者のうち稟議が終了していない稟議者を前記記憶手段に記憶されている稟議状況データに基づいて特定し、前記更新手段により原本情報が変更された稟議書ファイルを、特定された稟議者のコンピュータ装置へ送信する第２送信手段
として機能させるプログラム。
【手続補正２】
【補正対象書類名】明細書
【補正対象項目名】発明の名称
【補正方法】変更
【補正の内容】
【発明の名称】稟議システムおよびプログラム
【手続補正３】
【補正対象書類名】明細書
【補正対象項目名】０００６
【補正方法】変更
【補正の内容】
【０００６】
この稟議システムにおいては、ＰＣまたは複合機などが有するファイル生成手段により、稟議書の原本情報と認証データとを含む稟議書ファイルが生成される。そして、稟議書ファイルに含まれている原本情報と認証データとが記憶手段に記憶されている場合、記憶手段に記憶されている原本情報が新たな原本情報に書き換えられると共に、稟議書ファイルに含まれている原本情報が新たに生成された原本情報に変更され、認証データに対応する稟議者の稟議状況データが、稟議が終了した旨に更新される。そして、稟議書の稟議者のうち稟議が終了していない稟議者が記憶手段に記憶されている稟議状況データに基づいて特定され、更新手段により原本情報が変更された稟議書ファイルが、特定された稟議者宛てに出力される。
また、本発明は、コンピュータを、稟議書の原本であることを表す原本情報と、稟議者が稟議を承認した際に稟議書に付す標を示す認証データと、稟議者が前記稟議書の稟議を終了したか否かを表す稟議状況データとを記憶する記憶手段と、前記原本情報を含む稟議書を表す稟議書ファイルを生成するファイル生成手段と、前記ファイル生成手段により生成された稟議書ファイルを、前記稟議書の一の稟議者のコンピュータ装置へ送信する第１送信手段と、前記第１送信手段により送信された稟議書ファイルを受信したコンピュータ装置において生成された、前記原本情報と前記認証データとを含む稟議書を表す稟議書ファイルを受信する受信手段と、前記受信手段により受信された稟議書ファイルに含まれている原本情報が前記記憶手段に記憶されている原本情報と一致し、且つ、前記受信手段により受信された稟議書ファイルに含まれている認証データが前記記憶手段に記憶されている認証データと一致した場合、前記記憶手段に記憶されている原本情報を新たな原本情報に書き換えると共に、前記稟議書ファイルに含まれている原本情報を新たな原本情報に変更し、前記認証データに対応する稟議者の稟議状況データを、稟議が終了した旨に更新する更新手段と、前記稟議書の稟議者のうち稟議が終了していない稟議者を前記記憶手段に記憶されている稟議状況データに基づいて特定し、前記更新手段により原本情報が変更された稟議書ファイルを、特定された稟議者のコンピュータ装置へ送信する第２送信手段として機能させるプログラムを提供する。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
電解質の両側に一対の電極を設けた電解質・電極構造体を、横長の長方形セパレータにより挟持する単位セルを設け、複数の前記単位セルが水平方向に積層されるとともに、各単位セルの対向する長辺には、積層方向に貫通してそれぞれ冷却媒体入口連通孔及び冷却媒体出口連通孔が形成される燃料電池スタックであって、
前記冷却媒体入口連通孔及び前記冷却媒体出口連通孔は、それぞれリブ部により長辺方向に分割されるとともに、
前記リブ部は、前記単位セルの外方側の端部が前記単位セルの内方側の端部よりも幅広に構成されることを特徴とする燃料電池スタック。
【請求項２】
請求項１記載の燃料電池スタックにおいて、前記冷却媒体入口連通孔及び前記冷却媒体出口連通孔は、それぞれ長辺方向に複数個ずつ設けられるとともに、
各冷却媒体入口連通孔間及び各冷却媒体出口連通孔間に前記リブ部が設けられることを特徴とする燃料電池スタック。
【請求項３】
請求項１又は２記載の燃料電池スタックにおいて、前記セパレータは、金属セパレータで構成されるとともに、
前記金属セパレータに成形されるシール部材の成形用ゲートが、前記リブ部に対応して設けられることを特徴とする燃料電池スタック。
【請求項４】
請求項１〜３のいずれか１項に記載の燃料電池スタックにおいて、前記冷却媒体入口連通孔及び前記冷却媒体出口連通孔の前記リブ部を挟んだ長手方向の寸法は、前記単位セルの内方側の端部間の開口寸法が、前記単位セルの外方側の端部間の開口寸法よりも大きく設定されることを特徴とする燃料電池スタック。
【手続補正２】
【補正対象書類名】明細書
【補正対象項目名】００１３
【補正方法】変更
【補正の内容】
【００１３】
本発明は、電解質の両側に一対の電極を設けた電解質・電極構造体を、横長の長方形セパレータにより挟持する単位セルを設け、複数の前記単位セルが水平方向に積層されるとともに、各単位セルの対向する長辺には、積層方向に貫通してそれぞれ冷却媒体入口連通孔及び冷却媒体出口連通孔が形成される燃料電池スタックである。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
第１の記憶部と、第１の判別部と、第１の通信部とを有する制御ユニットと、表示部と、第２の記憶部と、第２の通信部と、入力部とを有する設定器とを備える照明制御システムにおいて、
前記第２の通信部は、前記入力部から入力されるアドレス情報要求信号を前記第１の通信部に送信し、
前記第１の通信部は、前記アドレス情報要求信号を受信すると前記第１の記憶部に記憶されているアドレス情報を付与した通信信号を前記第２の通信部に送信し、
前記第２の通信部は、前記アドレス情報が付与した通信信号を受信すると前記第２の記憶部にアドレス情報を記憶するとともに前記アドレス情報に対応するアドレスを前記表示部に表示することを特徴とする照明制御システム。
【請求項２】
前記第２の通信部は、前記表示部に表示されたアドレスのうち選択されたアドレスに対応するアドレス情報を付与した識別表示信号を第１の通信部に送信し、
前記第１の通信部は、前記識別表示信号を受信し、受信した前記識別表示信号に付与されているアドレス情報と第１の記憶部に記憶されているアドレス情報と照合して一致するとき、前記識別表示信号に基づいて識別表示をすることを特徴とする請求項１に記載の照明制御システム。
【請求項３】
前記制御ユニットはＬＥＤを備え、このＬＥＤにより識別表示をすることを特徴とする請求項２に記載の照明制御システム。
【請求項４】
前記制御ユニットはランプを点灯する点灯装置に接続され、このランプの点灯状態を変化させて識別表示することを特徴とする請求項２に記載の照明制御システム。
【請求項５】
前記第２の通信部は、前記表示部に表示されたアドレスのうち選択されたアドレスに対応するアドレス情報と前記選択されたアドレスに対応するグループ設定情報またはパターン設定情報とを付与した通信信号を前記第１の通信部に送信し、
前記第１の通信部は、前記選択されたアドレスに対応するアドレス情報とグループ設定情報またはパターン設定情報とを付与した通信信号を受信し、受信した前記通信信号に付与されているアドレス情報と前記第１の記憶部に記憶されているアドレス情報とを第１の判別部で照合して一致するとき、受信した前記通信信号に付与されている前記グループ設定情報またはパターン設定情報を前記第１の記憶部に記憶することを特徴とする請求項１〜請求項４のいずれかに記載の照明制御システム。
【請求項６】
第１の通信部で受信した通信信号に含まれるアドレス情報と、自己が有するアドレス情報とを前記第１の判別部が照合し、一致するときは受信した通信信号に基づく処理を実行し、一致しないときは受信した通信信号に自己が有する自己コードを付与して、他の制御ユニットに対して自己コードが付与された通信信号を出力する中継処理を実行することを特徴とする請求項１〜請求項５のいずれかに記載の照明制御システム。
【請求項７】
第１の通信部で受信した通信信号に自己が付与した自己コードが含まれるときは受信した通信信号に基づく処理を実行せず、かつ他の制御ユニットに対して自己コードが付与された通信信号を出力する中継処理を停止することを特徴とする請求項６に記載の照明制御システム。
【請求項８】
前記第１の通信部及び前記第２の通信部はそれぞれ第１のアンテナ及び第２のアンテナに接続され、前記第１の通信部と前記第２の通信部で通信している前記通信信号を無線信号とすることを特徴とする請求項１〜請求項７の何れかに記載の照明制御システム。
【請求項９】
前記設定器により設定しているときは、前記第１の通信部及び前記第２の通信部は、前記無線通信の送信出力を強くする、もしくは前記無線通信の受信感度を高くすることを特徴とする請求項８に記載の照明制御システム。
【手続補正２】
【補正対象書類名】明細書
【補正対象項目名】０００６
【補正方法】変更
【補正の内容】
【０００６】
この発明にかかる照明制御システムは、第１の記憶部と、第１の判別部と、第１の通信部とを有する制御ユニットと、表示部と、第２の記憶部と、第２の通信部と、入力部とを有する設定器とを備える照明制御システムにおいて、前記第２の通信部は、前記入力部から入力されるアドレス情報要求信号を前記第１の通信部に送信し、前記第１の通信部は、前記アドレス情報要求信号を受信すると前記第１の記憶部に記憶されているアドレス情報を付与した通信信号を前記第２の通信部に送信し、前記第２の通信部は、前記アドレス情報が付与した通信信号を受信すると前記第２の記憶部にアドレス情報を記憶するとともに前記アドレス情報に対応するアドレスを前記表示部に表示するものである。
【手続補正３】
【補正対象書類名】明細書
【補正対象項目名】０００８
【補正方法】変更
【補正の内容】
【０００８】
この発明にかかる照明制御システムは、制御ユニットのアドレス情報を設定器が受信して第２の記憶部に記憶するとともに表示部に表示できる効果がある。
【手続補正４】
【補正対象書類名】明細書
【補正対象項目名】００８２
【補正方法】変更
【補正の内容】
【００８２】
照明器具１及びコントロールユニット２９を組合せるときのグループ設定について説明する。
照明器具１及びコントロールユニット２９にそれぞれグループ設定することで、コントロールユニット２９はコントロールユニット２９に設定されるグループ番号と同じグループ番号に設定される照明器具１に対して照明器具１の点灯状態を制御することができる。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
基板に配置されている下部電極に有機導電層を形成する有機導電層形成工程と、前記有機導電層形成工程の後に上部電極を形成する上部電極形成工程と、前記上部電極形成工程の後にパッシベーション層を形成するパッシベーション層形成工程とを有する有機電子素子の製造方法において、
前記上部電極形成工程における前記基板の被処理面は下向きに保持され、
前記パッシベーション層形成工程における前記基板の被処理面は上向きに保持されることを特徴とする有機電子素子の製造方法。
【請求項２】
前記上部電極形成工程は透明電極材料をスパッタすることで前記上部電極を形成する工程であることを特徴とする請求項１に記載の有機電子素子の製造方法。
【請求項３】
前記パッシベーション層形成工程はＣＶＤ法により前記パッシベーション層を形成する工程であることを特徴とする請求項１に記載の有機電子素子の製造方法。
【請求項４】
前記パッシベーション層形成工程において前記基板は載置台に載置されることを特徴とする請求項１に記載の有機電子素子の製造方法。
【請求項５】
前記基板は前記上部電極形成工程から前記パッシベーション層形成工程まで外気に曝されずに処理されることを特徴とする請求項１に記載の有機電子素子の製造方法。
【請求項６】
請求項１に記載の前記有機電子素子は有機エレクトロルミネッセンス素子である。
【請求項７】
基板に配置されている下部電極に有機導電層を形成する有機導電層形成手段と、上部電極を形成する上部電極形成手段と、パッシベーション層を形成するパッシベーション層形成手段とを有する有機電子素子の製造装置において、
前記上部電極形成手段は前記基板の被処理面を下向きに保持する保持手段を有し、
前記パッシベーション層形成手段は前記基板の被処理面を上向きに保持する保持手段を有することを特徴とする有機電子素子の製造装置。
【請求項８】
前記上部電極形成手段は透明電極材料をスパッタすることで前記上部電極を形成するスパッタ手段を有することを特徴とする請求項７に記載の有機電子素子の製造装置。
【請求項９】
前記パッシベーション層形成手段はＣＶＤで前記パッシベーション層を形成するＣＶＤ手段を有することを特徴とする請求項７に記載の有機電子素子の製造装置。
【請求項１０】
前記パッシベーション層形成手段は前記基板を載置する載置台を有することを特徴とする請求項７に記載の有機電子素子の製造装置。
【請求項１１】
前記上部電極形成手段と前記パッシベーション層形成手段との間は前記基板を外気に曝さずに搬送される外気遮蔽手段が設けられていることを特徴とする請求項７に記載の有機電子素子の製造装置。
【請求項１２】
請求項７に記載の前記有機電子素子は有機エレクトロルミネッセンス素子である。
【手続補正２】
【補正対象書類名】明細書
【補正対象項目名】０００９
【補正方法】削除
【補正の内容】
【手続補正３】
【補正対象書類名】明細書
【補正対象項目名】００１２
【補正方法】変更
【補正の内容】
【００１２】
また前記パッシベーション層形成工程において前記基板は載置台に載置されることを特徴とする有機電子素子の製造方法を提供する。
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００２１
【補正方法】変更
【補正の内容】
【００２１】
また前記パッシベーション層形成手段は前記基板を載置する載置台を有することを特徴とする有機電子素子の製造装置を提供する。
【手続補正８】
【補正対象書類名】明細書
【補正対象項目名】００２３
【補正方法】変更
【補正の内容】
【００２３】
また前記有機電子素子は有機エレクトロルミネッセンス素子である。
【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
データ処理を行うコントローラと、前記コントローラの制御を受けて書き換え可能に情報を記憶する第１の不揮発性メモリとを有し、
前記コントローラは、データプロセッサと、データプロセッサによってアクセスされる書き換え不可能な第２の不揮発性メモリと、データプロセッサによってアクセスされる書き換え可能な揮発性メモリとを有し、
前記第２の不揮発性メモリは前記データプロセッサの処理プログラムを保有し、
第１の不揮発性メモリは前記処理プログラムの一部を代替する暗号化された代替プログラムの格納領域を有し、
前記データプロセッサは、前記暗号化された代替プログラムがあればこれを前記揮発性メモリに転送し、転送後前記暗号化された代替プログラムを実行するとき当該代替プログラムを復号し、復号した代替プログラムをそれ以降再利用可能に前記揮発性メモリに格納する記憶装置。
【請求項２】
前記代替プログラムを復号するタイミングは、揮発性メモリに転送された前記代替プログラムを初めて実行するときである請求項１記載の記憶装置。
【請求項３】
前記第２の不揮発性メモリは前記処理プログラムを実行するとき使用される第１のジャンプテーブルを有し、前記第１の不揮発性メモリは前記代替プログラムにより一部が代替された処理プログラムを実行するとき使用される第２のジャンプテーブルの格納領域を有し、前記格納領域は暗号化された第２のジャンプテーブルの格納に利用され、
前記データプロセッサは、パワーオンリセット解除後に暗号化された代替プログラムを前記揮発性メモリに転送するとき、第２のジャンプテーブルを復号し、復号した第２のジャンプテーブルをそれ以降前記第１のジャンプテーブルの代わりに利用可能に前記揮発性メモリに格納する、請求項１記載の記憶装置。
【請求項４】
前記第２の不揮発性メモリは、夫々暗号化された前記代替プログラム及び第２のジャンプテーブルを前記第１の不揮発性メモリに書き込む書き込み制御プログラムを保有する請求項３記載の記憶装置。
【請求項５】
前記第２の不揮発性メモリは、暗号化された前記代替プログラム及び暗号化された第２のジャンプテーブルを復号するための復号処理プログラムを有する請求項３記載の記憶装置。
【請求項６】
前記第２ジャンプテーブルは、前記処理プログラムの中で参照される第１テーブル領域と、前記復号処理プログラムの中で参照される第２テーブル領域とを有し、
前記第１テーブル領域内で前記代替プログラムの配置アドレス情報を参照するのに割当てられる第１参照領域には前復号処理プログラムの配置アドレス情報が記憶され、前記第２テーブル領域内で前記第１参照領域に対応する第２参照領域には前記第１参照領域に割当てられる前記代替プログラムの配置アドレス情報が記憶され、
前記データプロセッサは、前記第１参照領域が保有するアドレス情報を参照してそのアドレスに配置された前記復号処理プログラムを実行することにより、対応する第２参照領域のアドレス情報のアドレスから代替プログラムを取得し、取得した代替プログラムを復号すると共に、当該第１参照領域が保有するアドレス情報を対応する第２領域が保有するアドレス情報に変更する請求項５記載の記憶装置。
【請求項７】
前記データプロセッサは前記第２の不揮発性メモリ及び揮発性メモリをアドレス信号によりランダムアクセス可能であり、前記第１の不揮発性メモリを論理セクタ単位でファイルアクセス可能である、請求項６記載の記憶装置。
【請求項８】
前記コントローラは所定のメモリカード規格に準拠するホストインタフェースを有する請求項７記載の記憶装置。
【請求項９】
データ処理を行うコントローラと、前記コントローラの制御を受けて書き換え可能に情報を記憶する第１の不揮発性メモリとを有し、
前記コントローラは、データプロセッサと、データプロセッサによってアクセスされる書き換え不可能な第２の不揮発性メモリと、データプロセッサによってアクセスされる書き換え可能な揮発性メモリとを有し、
前記第２の不揮発性メモリは前記データプロセッサの処理プログラムと前記処理プログラムを実行するとき使用される第１のジャンプテーブルとを保有し、
第１の不揮発性メモリは前記処理プログラムの一部を代替する暗号化された代替プログラムの格納領域及び前記代替プログラムを実行するとき使用される第２のジャンプテーブルの格納領域を有し、前記格納領域は暗号化された第２のジャンプテーブルの格納に利用され、
前記データプロセッサは、パワーオンリセットに際して前記暗号化された代替プログラムがあればこれを前記揮発性メモリに転送すると共に、第２のジャンプテーブルを復号し、復号した第２のジャンプテーブルをそれ以降前記第１のジャンプテーブルの代わりに利用可能に前記揮発性メモリに格納する記憶装置。
【請求項１０】
前記データプロセッサは、前記揮発性メモリに転送された前記暗号化されている代替プログラムを実行するとき当該代替プログラムを復号し、復号した代替プログラムをそれ以降再利用可能に前記揮発性メモリに格納する請求項９記載の記憶装置。
【手続補正書】
【提出日】平成19年5月18日(2007.5.18)
【手続補正１】
【補正対象書類名】明細書
【補正対象項目名】０００４
【補正方法】変更
【補正の内容】
【０００４】
【特許文献１】特開2002-109371号公報
【手続補正２】
【補正対象書類名】明細書
【補正対象項目名】０１０２
【補正方法】変更
【補正の内容】
【０１０２】
再マッチング部１９は、供給されたサーバお勧めリストと、ユーザプロファイル記憶部１７に記憶されたユーザプロファイルとを用いて、検索処理やマッチング処理を行うことでお勧めコンテンツを１以上決定し、その結果をリスト生成部２０に通知する。換言すると、加工ユーザプロファイルを用いてサーバ３により一次選抜されたお勧めコンテンツの候補の中から、加工前のユーザプロファイルを用いて再マッチング部１９により二次選抜されたコンテンツが、最終的なお勧めコンテンツとして決定される。従って、図１において括弧書きで示されるように、再マッチング部１９は、第二次選抜部１９であるとも言える。
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
中央処理装置と、複数の移動局と、上記中央処理装置に伝送路を介して結合された情報端末装置からなり、
上記中央処理装置は、上記複数の移動局の情報を記憶する第１のデータベースと、
上記情報端末装置から得られる少なくとも上記情報端末装置の位置情報を記憶する第２のデータベースを有し、
上記中央処理装置は、上記情報端末装置からの配車要求に対して上記第１のデータベースおよび上記第２のデータベースに基づいて上記複数の移動局のうちの配車可能な移動局を選択し、
上記選択した移動局に配車指示をすることを特徴とする配車システム。
【請求項２】
請求項１に記載の配車システムにおいて、
上記第１のデータベースは、上記移動局の少なくとも動態情報を記憶することを特徴とする配車システム。
【請求項３】
請求項１または２に記載の配車システムにおいて、
上記情報端末装置は、少なくとも該情報端末装置の位置情報を取得する位置情報取得手段を有し、
該位置情報取得手段によって取得した位置情報を配車要求に応じて送信することを特徴とする配車システム。
【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
基板上に実装された点状光源と、
前記点状光源からの光を入射面から入射して伝播する混色導光板と、
前記混色導光板の上部に配置された主導光板と、
前記混色導光板からの出射光を前記主導光板に導く第１のリフレクタと、
を備えた面状光源装置において、
前記入射面を互いに対向させて前記点状光源を挟むように前記混色導光板を２枚備え、
前記点状光源の上部に配置され、前記点状光源からの光を前記混色導光板の入射面に導く第２のリフレクタをさらに備えたことを特徴とする面状光源装置。
【請求項２】
第２のリフレクタは、前記点状光源の発光中心を焦点とした放物線を結合した断面が略Ｖ字形状であることを特徴とする請求項１記載の面状光源装置。
【請求項３】
第２のリフレクタは、前記点状光源の発光中心を第１の焦点とし、前記混色導光板の入射面の中心を第２焦点として形成した楕円を結合した、断面が略Ｖ字形状であることを特徴とする請求項１記載の面状光源装置。
【請求項４】
２枚の前記混色導光板の対向する前記入射面の間隙に、前記光源からの光を入射し、前記混色導光板の入射面に向けて反射させるコリメータ素子を備えたことを特徴とする請求項１から３のいずれかに記載の面状光源装置。
【請求項５】
前記コリメータ素子は、上面に前記第２のリフレクタに沿うように形成された第１の凹部と、側面に前記混色導光板の入射面と対向する位置に光を出射する面と、下面に点状光源を包囲するため第２の凹部とを備えた、断面が略Ｍ字形状であることを特徴とする請求項４記載の面状光源装置。
【請求項６】
基板上に実装された点状光源と、
前記点状光源からの光を入射して伝播する混色導光板と、
前記混色導光板の上部に配置された主導光板と、
前記混色導光板からの出射光を前記主導光板に導く第１のリフレクタと、
を備えた面状光源装置において、
前記混色導光板は前記点状光源を挿入する穴を設けていることを特徴とする面状光源装置。
【請求項７】
前記混色導光板は前記点状光源を挿入するための貫通穴を設けていることを特徴とする請求項６記載の面状光源装置。
【請求項８】
前記混色導光板は、下面に前記光源を挿入するための第１の窪みを設け、前記第１の窪みと対向する上面に、前記点状光源からの光を全反射する第２の窪みを設けていることを特徴とする請求項６記載の面状光源装置。
【請求項９】
請求項１から８のいずれかに記載の面状光源装置と、前記面状光源からの光を変調する表示素子を設けたことを特徴とする表示装置。